(57)【特許請求の範囲】
【請求項１】
変形可能な眼内レンズを移植装置のレセプタクル周囲のスリットまたは開口部を通してレセプタクルに充填する方法において、眼内レンズが、変形されていない状態で、ａ）眼の中に挿入されたときに、レンズとして働くように構成された、光学面と光学面に垂直な同心光学軸とを画定する、円板形の光学部分と、ｂ）少なくとも２つの細長いハプティックス脚部とを備え、各ハプティックス脚部が、光学部分に取り付けられた内側端部と、自由である外側端部と、内側端部と自由端部との間の中間点とを有し、各ハプティックス脚部が、応力が加えられていない状態で湾曲し、湾曲が、各ハプティックス脚部の曲面を画定し、かつ応力を受けて少なくともあまり湾曲していない構造にたわむことができ、改良点として、前記充填する方法が、ｉ）直線に沿ってハプティックス脚部を同時にまたは順次に位置合せするように、ハプティックス脚部を同時にまたは順次に伸ばすステップと、ｉｉ）レセプタクルのスリットまたは開口部にわたって、かつレセプタクルのスリットまたは開口部と平行に、直線に沿って伸ばされたハプティックス脚部を位置合せまたは維持するステップと、ｉｉｉ）少なくとも２つのハプティックス脚部をスリットまたは開口部を通してレセプタクル内に移送するステップとを含むことを特徴とする方法。
【請求項２】
複数のハプティックス脚部を伸ばすことが、同時に起こる請求項１に記載の方法。
【請求項３】
複数のハプティックス脚部が、光学部分に対して同じ方向を指すように位置合せされる請求項１に記載の方法。
【請求項４】
複数のハプティックス脚部が、光学部分に対して反対方向を指すように位置合せされる請求項１に記載の方法。
【請求項５】
伸ばすステップが、直線に対して固定された光学部分を維持するステップと、ハプティックス脚部に直接影響を与えることによってハプティックス脚部を位置合せするステップとを含む請求項１に記載の方法。
【請求項６】
ハプティックス脚部の自由端部が、直線で保持され、自由端部と内側端部との間のハプティックス脚部に影響を与える請求項５に記載の方法。
【請求項７】
伸ばすステップが、光学部分を移動するステップを含む請求項１に記載の方法。
【請求項８】
光学部分が、光学軸の周りの回転によって移動される請求項７に記載の方法。
【請求項９】
ハプティックス脚部の自由端部が、回転に関与することを防止される請求項８に記載の方法。
【請求項１０】
自由端部が、直線に沿って配置されて維持される請求項９に記載の方法。
【請求項１１】
光学部分が、少なくとも部分的に光学部分の光学軸に沿って軸方向移動で移動される請求項７に記載の方法。
【請求項１２】
光学部分が、光学部分の光学軸の周りの回転を防止される請求項１１に記載の方法。
【請求項１３】
軸方向移動の間に、ハプティックス脚部の内側端部、中間点、および自由端部が、順次に直線と位置合せされる請求項１２に記載の方法。
【請求項１４】
直線に沿って位置合せされたハプティックス脚部が、応力を受けていない光学直径に対応する最大分離を有して平行である請求項１に記載の方法。
【請求項１５】
ハプティックス脚部が、光学直径に対応するよりも小さな分離を有して平行な位置に運ばれる請求項１４に記載の方法。
【請求項１６】
光学部分をスリットまたは開口部を通してレセプタクル内に移送するステップを含む請求項１に記載の方法。
【請求項１７】
移送するステップが、光学部分を折り曲げるステップを含む請求項１６に記載の方法。
【請求項１８】
折り曲げが、２つのハプティックス脚部の内側端部に対する取付位置を通過する折り曲げ線に沿って行われる請求項１７に記載の方法。
【請求項１９】
ハプティックス脚部が、光学部分に対する径方向取付部を有する請求項１８に記載の方法。
【請求項２０】
レセプタクルが、導管軸を画定する内部導管を備える筒形状である請求項１に記載の方法。
【請求項２１】
スリットまたは開口部が、導管軸と平行な筒周囲に延びる細長いスリットである請求項２０に記載の方法。
【請求項２２】
導管軸に沿ったスリット延長部が、伸ばすステップの後に、直線に沿ったレンズ延長部に対応する最小長さを有する請求項２１に記載の方法。
【請求項２３】
導管直径が、応力を受けていない光学直径よりも小さい請求項２０に記載の方法。
【請求項２４】
スリットまたは開口部が、移送するステップの後に閉じられる請求項１に記載の方法。
【請求項２５】
レセプタクルが、眼の中にレンズを挿入するように構成された、移植装置、または移植装置の一部である請求項１に記載の方法。
【請求項２６】
移植装置が、レンズを移動させるプランジャ装置を有する請求項２５に記載の方法。
【請求項２７】
プランジャ装置が、可撓性シートを備える請求項２６に記載の方法。
【請求項２８】
レンズ光学部品を可撓性シートに配置するステップを含む請求項２７に記載の方法。
【請求項２９】
レンズ光学部品の圧縮下で、レンズを移動するステップを含む請求項２８に記載の方法。
【請求項３０】
レンズが、可撓性シートを広げることにより放出される請求項２８に記載の方法。
【発明の詳細な説明】
【技術分野】
【０００１】
本発明は、変形可能な眼内レンズのハプティックスを操作する、さらに詳細にはハプティックスを伸ばす方法および装置に関する。非変形状態の眼内レンズは、ａ）眼に挿入されたときにレンズとして働くように構成された、光学面とその光学面に対して垂直な同心光学軸とを画定するほぼ円板形の光学部分と、ｂ）少なくとも２つの細長いハプティックス脚部とを備え、各２つの細長いハプティックス脚部は、光学部分に取り付けられた内側端部と、自由な外側端部と、内側端部と自由な外側端部との間の中間点とを有する。各２つの細長いハプティックス脚部は、応力がかかっていない状態で湾曲し、その湾曲が、各脚部の曲面を画定し、応力を受けて少なくともあまり湾曲しない構造にたわむ。
【背景技術】
【０００２】
変形可能な眼内レンズは、白内障に侵された眼の中の自然の水晶体を交換するためにも、屈折を修正する目的で追加のレンズを手術で移植するためにも使用される。典型的な白内障手術では、眼球は、縁部の近くで穿刺され、器具が、不透明な眼の水晶体を崩壊させかつ取り除くために挿入されかつ使用される。次に、人工レンズが、切開部を介して挿入されて自然の水晶体と交換され、眼の中でより十分に安定化されるように後で展開される、可撓性翼部（一部品のレンズ）または可撓性螺旋状脚部（二部品以上のレンズ）の何れかの形のハプティックスによって、定位置、通常は後眼房内に保持される。Ｈｅａｌｏｎ（登録商標）または同様の物質が、手術中にバルクを提供し、かつ知覚組織を保護するために、両方のステップ中に導入される。自然の水晶体は、普通は取り除かれず、より薄いレンズを虹彩の前の前眼房にも配置させることができるが、処置は、有水晶体矯正レンズとほぼ同じである。
【０００３】
眼の切開部寸法の要件が、レンズの寸法によって決定され、および普通はＰＭＭＡから作られる第一世代のハードレンズは、レンズの直径に対応する切断を必要とする。眼にレンズを挿入するために必要な切開部を制限する目的で、ソフトレンズが開発され、それによって眼球の歪みおよび感染の危険性を少なくし、術後の回復を良くする。例えばシリコーンから作られたソフトレンズは、最初の直径からずっと小さく折り曲げられ、または巻かれることができ、その後眼の中で元の形状を取り戻す。しかし、最小限の切開部を介するレンズの挿入、放出、および操作が後に続く手による折り曲げは、医者が高い技術を行なうことを必要とし、様々な工具が、これらのステップを簡単にするために開発されかつ市販されている。典型的な一般的な問題は、変形およびその後の乱視を誘発しないよう、角膜または薄い内皮細胞層に接触しないよう、レンズ光学部分および特にフライングハプティックスの両方の位置決めを制御するように、かつあらゆる感染または眼の中への残屑の導入を防ぐように、引き裂くことのない小さな切開部の確立および維持を含んでいる。
【０００４】
変形可能なレンズは多くの問題を解決するが、他の問題が代わりに導入される。レンズ材料がより軟らかいと、硬いまたは鋭い部分によるあるいは移植装置または他の操作装置の不完全性による、損傷、切断、または剪断をより受け易く、問題は、装置の部品間に必ず存在する許容範囲内で、材料を簡単に捕まえる材料摩擦によって悪化される。また、レンズのハプティックス部分は検討が必要である。特に、プランジャがその上に直接到達するほどは離れていないが、ハプティックスとその固着点との間での衝突または重ね合わせを防ぐように、レンズは、折り曲げられまたは変形されなければならない。レンズは、運搬中に損傷しないように、また出口で適切に放出され広げられるように折り曲げられなければならない。ほとんどのレンズは、遠位側および近位側で非対称であり、眼の内に適切に方向付けられて射出させる必要がある。しかし、ハプティックスが、最周縁のレンズ部分であるというまさにその必要性により、ハプティックスが特に露出され、さらにハプティックスに加えられる力が、レンズに高いトルクおよび捩りモーメントを与えて、簡単にレンズ全体がずれたり回転したりすることにつながり、その後不適切な折り曲げまたは変形、ハプティックスまたは光学部分に対する損傷、および出口での不適切な放出につながり、ほとんど全ては異常に高い変位抵抗でしばしば現れる。
【０００５】
これらソフトレンズの特徴は、ソフトレンズを操作するあらゆる装置、および特にレンズ運搬チャネルを備える移植装置に厳しい要求を課す。このようなチャネルへの要求全体は、剪断、摩擦、研磨、切断または挟持をレンズ光学部分またはハプティックスに与えないように、円滑でなければならないことであり、この要求は、モノリシックチャネル内でのあらゆる移行部と、複数の部分チャネルにおける継手との両方に課される。代わりに複数の部分が溶融され、研磨され、最終的にあらゆる残屑の跡を防ぐように洗浄されない限りは、複数のグレードおよびずれはほとんど避けられないので、複数の部分チャネルにおける継手は、できるだけ避けられるべきである。しかし、例えばレンズの挿入を可能にするためにドアまたはクロージャが設けられる場合、または別個のまたは外部の手段によって変形されるレンズ用のカートリッジ型インサートを使用する場合、複数の部分は避けることができないだろう。一般に、チャネルを介するレンズの運搬は、少なくとも２つの個別の段階を含む。第１の段階では、レンズは、おそらく完全にまたは部分的に変形されて、放出の準備ができ、眼の中の切開部を介する挿入のために構成された細長い先端の端部近くの待機位置まで運ばれるが、この段階は、普通は先端が眼の中に挿入される前に行われる。先端が眼の中に挿入された状態で行われる第２の段階では、レンズは、眼の中に放出されるための待機位置から残りの短い距離だけ押し出される。プランジャ装置は、これらの段階で異なる要件に対応する必要があり、一般に第１の段階は、レンズに応力を与えないように低速だが一定の力および速度を必要とするが、第２の段階は、レンズがその蓄積された弾性エネルギーによる端部先端で自動的に広げられる傾向にあるので、むしろ短いトリガ動作である。レンズの変形が起こり、変形が完了するまで大きくなり、その後低下する場合には第１の段階で、また先端が変形特徴または放出特徴、例えばスリットを有して先端が設計される場合には第２の段階で、力の変化はかなりより顕著になる。手動の操作では、力の低下は、不慮の変位、特に最終的な放出での事故に簡単につながることがある。レンズを変形する収束チャネルにより、例えば特に概略を説明したハプティックスの問題に鑑み制御された開始ならびに連続した折り曲げに関して、追加の問題が起こる。問題は、より頑丈で局所化された一部品のレンズのハプティックスと比較して繊細かつ分かりにくい螺旋状ハプティックスを備える、二部品以上のレンズに対してより顕著である傾向がある。
【０００６】
多くの工具のタイプが提案されたが、あらゆる許容範囲に対する上記の要件を満たす提案はないと考えられる。初期の装置の提案は、米国特許第４７０２２４４号明細書、米国特許第５１００４１０号明細書、および米国特許第５１７６６８６号明細書に例示されるように、鉗子またはフックのレンズの取り扱いを補助するための単なる補助固定具または治具であったが、高い変形度も小さな切開部も得ることができないし、許容可能な操作制御でもない。多くの後の提案は、それぞれレンズの変形のためおよびレンズの運搬のための別個の手段に依存している。例えば米国特許第４８８００００号明細書のジョー、パドル、またはチャネルに対して横方向に作用する変形部材に依存している。このような装置は、必然的に、間でレンズが変形されるいくつかの部品を備え、このような部品間で変形されるレンズは、しばしば再利用可能な移植装置内にカートリッジとして挿入され、全ての部品は、説明した潜在的に害のある不完全性を誘発する傾向がある。さらに、このような装置は、正しくレンズを挿入しかつ手動で変形させるために、便利な装置の安全特性による補助ではなく、操作者の技術に依存しており、任意のかつ一貫しない折り曲げ、および放出挙動に簡単に至る。典型的な例として、米国特許第５４９４４８４号明細書および第５８００４４２号明細書は、２つのヒンジ付きハーフ管の間でレンズを変形する装置に関し、ランダムな結果または光学部分またはハプティックスの挟持を引き起こさないようにするのに、技術が必要である。既に変形したレンズは、簡単なプランジャ前進機構を可能にするべきであるが、ねじ装置が使用されており、レンズの放出の重大な瞬間に実用可能ではない両手動作が必要である。また、端部での最終的な放出前のチャネル内の前進運搬中に、レンズが中で折り曲げられ、変形される収束チャネルを備える装置に対して多くの提案が行われた。さらに下流側で変形させ、収束チャネル部内の溝または他の構造によって頻繁に支援される適切な折り曲げのために、レンズをチャネル入口で平らに挿入するか、または僅かに折り曲げることができる。典型的な例が、米国特許第４９１９１３０号明細書、米国特許第５２７５６０４号明細書、米国特許第５４７４５６２号明細書、米国特許第５４９９９８７号明細書、米国特許第５５８４３０４号明細書、米国特許第５７２８１０２号明細書、米国特許第５８７３８７９号明細書（国際公開第９６／０３９２４号パンフレット）、ドイツ特許第３６１０９２５号明細書、国際公開第９６／２０６６２号パンフレット、および国際公開第９６／２５１０１号パンフレットに開示されている。このような変形装置はあまり多くの操作者の技術を必要としないが、結果は満足のいくものでも一貫したものでもない。上記の通り、運搬変形原理は、高くかつ変化する運搬力が必要であり、チャネルおよびプランジャからのレンズの応力および可能性のある損傷が大きくなる。レンズ損傷の別の原因は、このような装置が、出口チャネル断面よりも大きな入口を有し、追加の領域が、時々応力を受けていないレンズの挿入を簡単にするように追加されるが、高さ方向のプランジャ断面積に対応することが常に必要であるという事実にある。チャネルとプランジャとの間の剪断は、断面が小さくなるまたは変化する場合には避けることはできず、しばしばプランジャと変形されていないレンズとの間に加えられる潜在的に崩壊的な点の力に加えて、ソフトレンズ材料の絞りまたはさらに切断にもつながる。また、初期的に折り曲げられていないレンズは、上記の捩り力によるずれを非常に受け易く、しばしばレンズを押込む間に、ハプティックスを収容し保護するように提案された大規模な手段にもかかわらず、不適切に折り曲げることおよび不適切に後で広げること、または変位された光学部分およびハプティックスへの損傷につながる。また、大きく変化する力の要件を考慮した装置の便利な使用の問題は解決されないままであり、さらに制御されていない力の変化のマスキング効果により損傷したレンズを実際に移植する危険性もある。
【０００７】
示したように、一端部がレンズの光学部分に取り付けられ、他端部は自由である、延長された可撓性脚部を備える螺旋状ハプティックスを有する二部品以上のレンズで特別な問題に直面する。これらの問題の多くは、このようなハプティックスの移動度と、適切な初期方向をハプティックスに与える際に伴う困難とに関連するものである。普通は、ハプティックスは、眼の中に挿入される場合にいくつかの径方向の固定圧縮後にも、光学活性領域の外側にあるように、レンズの光学部分の縁部または周面からまた、その周りで少し延びる応力が加えられていない状態で湾曲を有する。周面への配置により、ハプティックスが露出され、その湾曲は、眼の中で放出される前に、変形可能なレンズの非常に圧縮された状態とは一致しなくなる。通常、ハプティックスは、例えば移植装置導管に対して両方とも前方向、または一方は前方向にもう一方は後方向に注意深く方向付けられ、また導管境界内に嵌合するようなより小さな湾曲に伸ばさなければならない。ハプティックスは、移植装置内に配置され、あるいはレンズ折り曲げおよび処理特徴に関して非常に洗練されている場合でさえも、鉗子などの単純な用具だけの援助によって手動でしばしば方向付けられる。手動操作手段は、特に異なる移植装置、およびさらにレンズの種類またはジオプトリが異なるアプローチを必要とするので、故障または再生不可能な結果になる危険がある。したがって、ハプティックス操作を援助する方法および手段への必要性がある。
【発明の開示】
【発明が解決しようとする課題】
【０００８】
本発明の主な目的は、眼内レンズの今まで使用されてきた操作方法および手段での問題を回避することである。より詳細には、目的は、螺旋状のハプティックスタイプの操作を改良することである。別の目的は、レンズの損傷、故障動作および再生不可能な結果の危険を少なくすることである。別の目的は、異なるレンズおよび移植装置に有用な改良を与えることである。また、別の目的は、手動動作ステップにおける技術の必要性を少なくすることである。別の目的は、様々な最終ハプティックス構造の可能性を提供することである。別の目的は、レンズカセットおよび移植装置などの様々なレセプタクルへの操作されたレンズの移送を簡単にすることである。別の目的は、簡単かつ安価で、使い捨てすなわち一回のみの使用の装置として使用することが可能な、これらの目的の装置を提供することである。
【課題を解決するための手段】
【０００９】
これらの目的範囲は、特許請求の範囲に記載された特徴により達成される。
【００１０】
ハプティックス操作のために構成されている装置を使用することにより、手動による介在を少なくすることができる。案内構造が、ハプティックスの最終湾曲またはその伸びる課程のためのテンプレートとしてある程度働くことによって、伸びるハプティックスを制御する助けとなる。各ハプティックスの脚部が、独自の案内構造を有する場合、例えば移植装置導管内の前後ハプティックスの異なる要件に対して、各脚部を独自に制御することが可能になり、また続けてまたは同時に脚部を伸ばすことが可能になり、同時に伸ばす場合は、ハプティックス操作が単一のステップ動作になる。また、これは、レンズをその最終構造に固定して保持することが可能であり、例えばレンズを装置内に格納し、レンズカセットまたは移植装置などの様々な二次装置に取り付けることが可能になるということである。案内構造は、同心、平行または角付、および同じまたは反対方向を指すなどのいくつかのハプティックス構造に対応しており、同様の形状の開口を介して様々なレセプタクルに操作されたレンズの移送が可能になる。案内構造に対するレンズ移動用の配置によって、レンズの移動によりハプティックスを操作することが可能になり、フライングハプティックスと比べてより大きくかつより局部的な動作点が提供され、また案内構造領域との干渉を防止する。望むなら、単一のレンズ移動を使用して、単一動作で全てのハプティックスに影響を与えることができる。また、レンズを折り曲げる、またはレンズをレセプタクルに移送するための移動と、レンズ移動を組み合わせるまたは一体化することも可能である。適切な方法は、２つのハプティックスをほぼ直線に位置合せするように伸ばし、その後、その直線と平行に保持されている場合に、レセプタクルの細長いスリットを通してレンズを移送することである。このように、レセプタクル内にあるときに、ハプティックスを操作しなければならないことが防止される。並べた構造は、レンズ移植または圧縮装置内と同様に、レンズをレンズ運搬導管内に充填することに十分対応している。
【００１１】
本発明の別の目的および利点は、これ以下の詳細な説明から明らかだろう。
【発明を実施するための最良の形態】
【００１２】
概略
そうでないという明示的な記述がない場合、ここで使用されるように、「備える」、「含む」、「有する」、「具備する」などの表現、および同様の用語は、言及した要素にのみ限定するものではなく、別な要素が存在することも可能であると理解されるべきものであり、一体化した、細分化した、または塊状の形のあらゆる要素を含むものと理解されるものである。同様に、「連結された」、「取り付けられた」、「配置された」、「適用された」、「間の」などの表現、および同様の用語は、言及した要素間の直接的な接触のみを含むものと理解されるべきものではなく、１つまたは複数の介在要素または構造が存在することも可能であることを理解すべきである。同じことが、力および動作の説明に使用される場合の同様の表現に当てはまる。
【００１３】
また、ここで使用されるように、そうでないと示されない限り、「軸方向」、「前部」、「後部」、「前側」、および「後側」などの装置に対する位置決めおよび方向決めの陳述は、眼の中に射出された場合のレンズ運搬方向、すなわち移植装置導管内のレンズの運搬方向の言及と理解されるものである。装置の「軸」方向は、レンズ導管内で中心合わせされた線として理解されるべきものであるが、このような軸は、常に全体的に直線である必要はなく、例えば導管が変化する断面形状を有する場合に、収束型の導管内で湾曲させることもできる。
【００１４】
本明細書で説明する発明は、白内障または修正の何れかの目的で、導入部で概略的に説明したような最も多くの既存の眼内レンズに使用することができる。ハードレンズのためのハプティックスの操作にも使用することができるが、レンズは変形可能であることが好ましい。レンズは、普通、光学部分およびハプティックス部分を備えている。光学部分は、屈折特性を提供し、自然の水晶体の置換用に強い正の屈折、または修正の目的であらゆる程度に正または負の屈折などの、任意の所望の光学特性を有することができる。光学部分は、普通、レンズ形状をしているが、他の初期形状、例えば屈折液体または塊で後に充填するための袋形状、眼または眼の中で記憶された形状に回復するための記憶を備えた予備変形されたレンズ内で、再形状化するまたは架橋するための他の形状を有することもできる。光学部分の縁部は、鋭くても、鈍くても、あるいは平坦であってもよい。ハプティックス部分は、眼の中で光学部分を中心合わせしかつ安定化させるように、眼の内周に接触する目的を果たす。ハプティックスは、光学部分または同様の形状にされたループから伸びている平らな翼部として形成されていることが知られているが、本発明は、光学部分の周りに螺旋状になった、主に少なくとも１つの、通常は２つの、または時にはそれ以上の可撓性脚部を有するものに関する。本発明は、最もこのようなハプティックスの種類に対応するが、ハプティックスは、光学部分の周囲から、また少なくとも部分的にその周りに延びる、導入部で説明した種類のものであることが最も好ましい。また、ハプティックスと光学部分との間の固着は、いくらか異なる構成であることができ、例えばハプティックスの湾曲部が、ほぼ接線方向に光学円板から直接延びる場合は「接線方向」、または光学円板からほぼ径方向に延びるほぼ直線部があり、その外端部には湾曲部が取り付けられている場合は、「径方向」であり、このような構成は本発明に十分一致している。
【００１５】
ソフトレンズは、それ自体は知られているいくつかの異なる方法で、小さな眼の切開部への挿入に適している減少された直径が与えられることができ、例えば、螺旋形状に巻かれたり、単一または複数の重ね合わせまたは蛇腹形状の様々な形に一回または複数回折り曲げられ、軸方向の拡大または伸長などにより径方向に変形または伸ばされ、実際は、通常使用されるあらゆる方法は、いくつかの純粋な寸法減少の原則を伴う。本明細書で使用するように、「折り曲げる」、「変形させる」、「圧縮させる」などの表現は、移植の目的のあらゆる種類の寸法減少方法を示すように区別なく使用され、特に示されたり明示的に説明されたりしない限りは、特定の方法に限定されると理解されるものではない。有用なように、形状の変化は、眼の中でレンズが元の形状を取り戻すことができるように一時的なものであり、レンズは、応力が加えられていない状態で元の形状に自動的に戻るように弾性変形されることが好ましい。逆に、あらゆる主な永久的な変形は、普通レンズの損傷に等しい。普通は、眼の切開部は、１ｍｍから６ｍｍの間、好ましくは２ｍｍから４ｍｍの間の長さの直線切断であり、横方向に広げられてより丸い穴になり、変形後のレンズ形状は、普通はおそらくより楕円形の形にわずかに平らにされたほぼ円筒形の外表面で、このような切開部を介する導入に適応するようになっているべきものである。
【００１６】
同様に、レンズのハプティックスは、普通、眼の内部に対して固定圧力を作り出すように僅かにたわんだハプティックスだけで、十分に規定された初期構造と、眼の中に移植される場合に十分に規定された最終構造を有する。しかし、移植手術中、ハプティックスは、使用される移植方法によって、厳しい変形応力にさらされることがある。特に変形可能なレンズの圧縮時には、ハプティックスは、例えば運搬導管と一致するように意図的に変形させる、またはレンズ圧縮力に曝された場合に、光学部分の折り曲げの間で、または導管壁面に対して絞られなければならない。このような変形ならびに本発明の制御された操作のために、「伸びる」、「たわむ」、「曲がる」、「応力を受ける」などの表現が、区別なく使用されている。また、ハプティックスの直線延長をほぼ含むように描かれた平面である、ハプティックスの「湾曲」および「曲面」に対して言及する。応力を受けていないレンズに対して、このような平面は、しばしば光学円板に対してほぼ垂直であるが、僅かな偏差、例えば光学円板に対してのいくらか捩れての取付が存在し、また全てのハプティックスに対する平面は、必ずしも一致したり、平行であったりする必要はないことを意味する。
【００１７】
本発明による装置は、基本的に、ａ）ハプティックス案内表面と、ｂ）レンズ用シートと、ｃ）レンズの移動を可能にするレンズ案内配置とを含んでいるということができ、これらの構成部品は、全体的に前に説明されている。
【００１８】
案内表面
案内表面は、レンズが、シート内に位置決めされ、かつ面内延長部、すなわちハプティックスの脚部に沿った一点である、「第１の点」に少なくとも接触するのに十分なハプティックス面内、またはハプティックス面と平行なその延長部に位置決めされるときに、ハプティックス面に垂直な少なくとも１つの表面構成部品を有するものとする。ハプティックスが応力を受けていない状態にある場合、この点は、自由端に近い、または自由端にある、あるいは内端部に近い、または内端部にあることが好ましい。面内延長部は、好ましくは、主な長さ、より好ましくは内端部と自由端の間とのほぼ全長、最も好ましくは、伸ばされた直線状態のハプティックスの長さに対応する長さを含んでいる。このような長さにわたって、ハプティックス脚部の内端部と自由端との間の少なくとも１つのハプティックス点である「第２の点」、および好ましくは中間点に、伸ばし過程中に接触する、または近づくことができるように、表面は、応力を受けていない状態のハプティックスよりも小さな湾曲を有するものとし、好ましくはほぼ直線であり、最も好ましくは直線である。表面構成部品の垂直延長部、すなわちハプティックス表面に垂直なその延長部は、垂直方向の変位に対して第１の点を安全に案内するのに十分な最小高さを有するべきである。レンズが、垂直方向に可動に配置される場合、高さは、垂直移動性の少なくとも一部、より好ましくは主な部分、最も好ましくはハプティックス案内のための垂直移動性のほぼ全体を含んでいることが好ましい。面内延長部に沿って見ると、案内表面は、ほぼ一定の垂直延長部高さを有するが、例えばレンズが垂直方向に移動性を有する場合に、ハプティックスを案内する目的で可変高さを有することもできる。案内表面が、「構成部品」垂直延長部を有するということは、案内表面が、ハプティックス面に垂直である必要はないが、例えば垂直方向に対しても傾斜又は湾曲を有することができるということである。案内表面に沿って、またハプティックス面内またはこれと平行な方向で見ると、勾配または傾斜表面は、例えば、ハプティックスを垂直方向に上下に向けるように、例えば移送スリットに向けてハプティックスを偏向させるように働くことができる。同様に、湾曲したまたはＶ字形の輪郭は、案内表面上のハプティックス点をより十分に固定するまたは保持するようにポケットとして働くこともできる。案内表面は、ハプティックスの外側凸側の点をシート内のレンズと接触させるように位置決めさせることができるが、好ましくはハプティックスの内側凹側と接触するように位置決めさせることができる。例えばハプティックスを安定化させるように、または案内表面と追加表面との間にスリットを作り出すように、好ましくは、ハプティックスを伸ばしかつ伸ばした状態で保持するのを助けるために、応力が加えられていないハプティックスの収容に必要な分離より小さな分離で、最も好ましくはハプティックスの最終形状のためのかなり狭いスリットで、１つまたは複数の追加表面を凹側にも配置することを妨げない。少なくとも1つの案内表面が、装置内に存在しているべきであり、１つのハプティックス脚部の伸びのために構成されるべきである。普通は、螺旋状のハ��ティックスを使用するレンズは、２つ以上、普通は２つの脚部を使用するが、３つ以上が存在していてもよい。本装置は、２つの案内表面を含み、それぞれ異なるハプティックス脚部の伸びのために構成されることが好ましいが、２つより多くのハプティックス脚部の場合は、より多くが存在していてもよい。２つの案内表面を、初期構造および最終的な所望の構造に応じて、互いに異なる空間関係で配置することができる。初期構造は、必ずしも、応力が加えられていない状態のレンズ構成によって規定されているものではない。例えば、実質的にあらゆる新しい角度関係で例えば、２つの対角に配置されたハプティックス取付け点を作るように、折り曲げられたレンズの光学部分を有することが可能であり、同様の結果が、単なるハプティックス取付け部を折り曲げることによって得ることができる。したがって、２つの案内表面は、最終ハプティックス構造のために配置されることができ、この最終ハプティックス構造で、脚部が、例えばプランジャの当接のためにレンズの後部側を自由にしておく目的で、その間と一致する、平行である、または鋭角であるなどのほぼ同じ方向を指す。または２つの案内表面は、最終ハプティックス構造のための類似する構成で配置されることができ、この最終ハプティックス構造のための類似する構成で、脚部が、例えば後部ハプティックスを、移植装置導管内でプランジャと直接当接しないように僅かに偏向させたままにする目的で、その間と一致する、平行である、または鈍角であるなどのほぼ反対の方向を指す。しかし多くの目的で、好ましい最終構造では、ハプティックス脚部が、平行または一致している線に沿ってほぼ反対方向を指し、例えばその後端部を叩くのではなく、レンズを部分的または全体的に囲む移植装置のプランジャ、例えば導入部で説明したパドルプランジャタイプと対応する。２つ以上の案内表面が存在することもあるが、２つ以上の案内表面は、モノリシック構造に一体化させることができ、離れているが、互いにまたは支持体に取り付けられており、全て同じ機能を与える。同様に、案内表面に対して可動であるものと関係なく説明されるべき他の装置特徴は、案内表面またはその支持体と一体化する、または取り付けることができる。
【００１９】
シート
シートに関する最小の要件は、案内表面に対して説明した関係で、ハプティックスを有するレンズを収容する、好ましくは応力が加えられていないまたは僅かな応力しか加えられていない状態の少なくともハプティックスを有するレンズを収容することができるということである。示すように、レンズまたはハプティックス取付け部を折り曲げたり応力を加えたりすることができるが、レンズは、応力が加えられていない状態であることもしばしば好ましい。シートは、レンズの適切な配置を簡単にし、シートに対してレンズを固定し、かつ／またはレンズの移動のための支持体を提供する目的で固定具を含むことができることが好ましい。説明するレンズを移動させる装置は、このようなシートを移動させることができる、または固定具を解放するまたは超えることができることが必要になる場合がある。レンズ光学部分への動作によって、例えば圧力をレンズ面にほぼ横方向、すなわち垂直に加えることによって、例えばドアをチャンバに対して閉じるときに、シートチャンバの屋根と床との間で例えば絞ることによって、固定を行なうことができる。その後、レンズのあらゆる回転が、折り曲げ線の変化による変形における必要な変更によって妨げられるので、その後レンズを最初僅かに曲げることができることが好ましい。より十分な制御および影響力のため、またレンズに回転を加えるため、レンズのハプティックスを安定化させることが好ましい。これは、レンズ光学部分で説明したのと同様の方法で、レンズ平面に横向きに圧力を加えることによって行なうことができるが、ハプティックスと全てのハプティックスの種類で使用することができる構造物との間の当接により、レンズの回転で停止するまたは作動させるように、横方向に延びる区切構造を配置することが好ましい。少なくとも２つの構造物が使用されることが好ましいが、より好ましくは例えば、その両側に１つのハプティックスを保持することによって、または一方の方向の回転に対して１つのハプティックスを、他方の方向の回転に対して第２のハプティックスを保持することによって、反対方向の回転を防ぐように配置されている。２つの構造物が、各ハプティックスに使用され、例えば４つの構造物が２つのハプティックスに使用されている、２つが両方のハプティックスの周りにあり、各ハプティックスで両方向の回転を防ぐように配置されていることが最も好ましい。最良の安定度では、構造物は、ハプティックスと光学部分との間の連結部に近く存在することが好ましい。加えて構造物は、例えばそれらの位置を十分に規定するように、ハプティックス周囲の全てまたは主な部分に存在するが、例えば上記の位置でレンズ面に対して横方向に延びるピンから、十分点接触することが多く、レンズの変位の前に、構造物の容易にされた無効化を有することが望ましい場合には、小さな寸法も好ましく、その連結では、構造物およびレンズは、移動のためにハプティックスを自由にするような程度まで、互いに対して移動させるべきである。案内表面が、内端部に、または内端部に近接してハプティックスの第１の点に接触するように配置される場合、案内表面は、全体的に上に説明した構造物として働くことが好ましく、例えば、１つの案内表面が、それぞれ上に述べるように１つだけ、または追加の表面と一緒に使用されるかどうかに応じて、各ハプティックス脚部に接触する１つまたは２つの固定点を提供する。例えば、手動によるレンズ光学部分の移動なしに、または案内表面に沿ってハプティックスを伸ばす、引き出す、または押すことによる工具操作を行なうことなく、ハプティックスの伸びが行われる場合、好ましくは案内表面が、スリットと位置合せされて、伸びたハプティックスを備えるレンズを移植装置導管などの二次装置に移送する場合、シートは、案内表面に対して固定して配置することができる。説明した理由により、レンズ光学部分を移動させることにより、ハプティックスの伸びを行なうことが一般的に好ましい。これは、例えばおそらく潤滑剤によって援助されたシート内でレンズを操作することによって、案内表面に対して固定されたシートで行なうこともできる。あるいは、シートは、案内表面から離れた部分、例えば案内表面に対してレンズ光学部分を移動させるのに使用される摘み工具であってもよい。このような可動シートは、案内表面またはその支持体の上または案内表面またはその支持体で、対応するキー構造と協働するキー構造を有し、それによって例えば、案内表面に対するレンズの配置および安定化のための操作、好ましくはレンズ移動のためのレンズ案内装置を簡単にする。
【００２０】
レンズ案内装置
レンズ案内装置により、ハプティックスを伸ばすように働く経路に沿った案内表面に対するレンズの移動を可能にし、好ましくは案内する。これにより、ハプティックス湾曲を小さくし、普通はまた、各ハプティックス脚部上の少なくとも第２の点が、案内表面と接触する、または近接することが必要になる。これはまた、例えば、第１の点が、自由端であり、例えばハプティックス内側端部を案内表面に押し付けることによって、ハプティックスを伸ばす間に案内表面との接触が維持される場合に、第１の点が、レンズ光学部分から離れて移動するということを意味する。あるいは、例えば、第１の接触点を自由端に向かって外側に移動させることによって、例えば第１の点をレンズ円板から離れて傾斜する傾斜表面に沿って移動させることによって、第１の点が、ハプティックス脚部の内側端部に近接しており、伸びが起きる場合に、第１の点は、案内表面と接触しなくなる。確かに、ハプティックス脚部上のいくつかの点、その伸び、またはほぼ全体が、案内表面と接触する、または一列になることも可能である。ハプティックスを伸ばすのに効果的な経路を作り出すのに、様々な一般の移動パターンが可能であり、通常の用語で説明するが、一般のパターンの様々な組み合わせも可能であることは明らかである。移動は、案内表面に対してであり、この表面は固定されると考えられる。移動は、応力が加えられていない状態のレンズの光学部分に関して説明するが、光学部分の縁部は、レンズ平面内にあり、レンズ軸はレンズ面に垂直であり、レンズ円板内で中心合わせされていると考えられる。多くの普通のハプティックス設計では、レンズ面は、ハプティックス面とほぼ一致しており、可能性のある小さな偏差は前に説明した。レンズは、光学部分円板を介して対角である面内の軸周りの回転を行なうことができ、これは例えば、このような軸の周りのシートの回転を可能にするレンズ案内装置によって実現され、例えばこれらの方向に配置され、回転方向で見るとレンズ光学部分から外に傾斜する案内表面に対してハプティックス内端部を掴むことによって、軸に垂直な反対方向を指すハプティックスを真っ直ぐにするために使用されることができる。レンズは、レンズ面内での移動を行なうことができる。このような移動の第１の形態は、平面と交差するレンズ軸が、平面内でも移動するという意味で平行移動である。レンズ軸移動は、円形、別の曲線、または直線経路であってもよく、例えば平面内のシートに対するトラックの形でレンズ案内装置によって実現され、例えば説明したあらゆる平行または角度関係を有するハプティックスを直線にするのに使用されることが可能である。レンズ面内の移動は、固定されたレンズ軸周りの回転であってもよく、例えばシートの回転を可能にするレンズ案内装置によって実現することができ、例えば案内表面に対してハプティックス自由端を止めることによって、反対方向を指すハプティックスを真直ぐにするのに使用することができる。レンズの移動は、レンズ軸に沿った変位であり、例えばシートを管形のチャネル内で移動させることが可能なレンズ案内装置によって実現されることができ、例えば所望の方向に配置され、移動方向で見るとレンズ光学部分から外に傾斜する案内表面に対して、ハプティックス内端部を掴むことによって、あらゆる方向を指すハプティックスを真直ぐにするために使用することができる。全ての実施形態では、装置は、可動部、例えば押しまたは回転ボタン、レバーなどの自動または好ましくは手動操作を簡単にする処理特徴を備えていることが好ましい。
【００２１】
補助特徴
この装置は、ハプティックスの伸び以外のレンズの他の処理の助けとなる特徴を含んでいることが好ましい。装置は、応力が加えられている、または好ましくは応力が加えられていない状態で、レンズのパッケージとして働き、この目的で開かれる、または破かれることができる部分を備えることができる。装置は、ハプティックスが伸びた後に、レンズの別の処理のための特徴、特にレンズを小さな直径に圧縮する特徴、および眼の中にレンズを射出する特徴を含むことができる。レンズを圧縮する特徴は、導入部で説明したように普通の種類、例えば「翼付き」およびヒンジ付きハーフ管の使用などによる、ハプティックスの延長およびレンズの射出に関して、横方向または径方向に絞るためのシートで、またはシート内の装置を含むことができる。加えてまたは代わりに、装置は、完全な移植装置導管の一部または全てを含むことができ、例えば、おそらくレンズおよび伸びたハプティックスの放出可能な固定手段を備えたシートを囲む導管であり、この導管は、おそらく伸びている間のハプティックスを受けるための横開口部およびスリットを含み、装置により、シートの前での収束チャネル内でのレンズの圧縮、または追加の圧縮も可能になる。あるいは、伸びたハプティックスを備えるレンズは、別のステップのために、直接または中間導管を介して移植装置導管に移送されることができる。装置および移植装置が一体でない場合は、連結特徴は、これらの部分を互いに永久的または解放可能に維持するまたは係止するために存在していることがある。さらに、装置上の送出開口部および移植装置上の受取開口部が、必要であり得る。これらは、同じ形状を有する、または一方が必要な寸法を有しかつ他方が大きすぎる寸法である何れかによって、以下に述べる特徴を有する移送開口部を与えるように互いに構成されるべきである。移送開口部は、伸びたハプティックスに続く普通の延長部、例えばそれぞれ部分的におよび完全に延びたハプティックス脚部用の湾曲したまたは直線のスリットを有することができる。移送開口部を介してハプティックスを移送するための装置、例えば能動的移送または案内用の押出装置、例えばおそらく伸ばしエネルギーの一部の消費によって助けられる、十分に伸びている間、または十分に伸びた後に、移送開口部を介して伸びたハプティックスを自動的に案内するために、案内表面上または案内表面にテーパ状表面が存在することができる。また、レンズ光学部分が、移植装置導管に移送され、例えばシートの下にある送出開口部によって、レンズの幅に適応する寸法の移送開口部が必要であることが好ましい。レンズを応力がかかっていない状態で移送することができるが、レンズ光学部分は、とりわけより小さな移送開口部を必要とし、再コイリングの可能性が低い伸びたハプティックスを与えるより狭い導管への移送を可能にする、少なくとも部分的に圧縮される、または移送中には圧縮されるようになることが好ましい。多くの場合、伸びたハプティックス脚部を移植装置導管軸にほぼ沿って向けることが好ましく、おそらくは例えばプランジャ設計などに適応するための小さな逸脱があり、これは細長い受取スリットの便利な軸方向の方向付けを意味する。実質的に位置合せされた前後を向いているハプティックスは、また、特に規定されたような径方向のハプティックス固定原理を使用する場合、最も好ましくは、レンズが、２つのハプティックスに対する固定点を通過する直径に沿って折り曲げられている場合に、移植装置出口でトルクおよび光学回転を作り出す傾向を少なくするという利点が証明された。また、後続のステップ中にレセプタクル内に閉じ込めるためにレンズを移送した後、例えば、好ましくは、装置を移植装置に対して回転させることなど、送出開口部と受取開口部とをずらすことによって、開口領域から外に移動されるまで、移送開口部を閉じる装置を含むことが好ましい。説明した変更形態により、装置はほとんどの移植装置の種類に対応するが、特に後位置で充填され、かつ前位置に移動されて眼の中へのレンズの射出が行なわれるように構成される場合、導管軸に対して横方向または径方向に充填するレンズ、および可撓性シートまたはパドルを囲むレンズを有する説明したようなものなどのレンズを、押すのではなく担持するプランジャ用に設計された移植装置で利点が達成される。
【００２２】
装置は、レンズに適応し、関連するかなり小さな力を保持することが可能なあらゆる材料で製造することが可能である。材料は、ガラス、金属、および好ましくはプラスチックなどの移植装置に使用される材料と同様であることがある。適切なプラスチックは、ポリエチレン、ポリプロピレン、ポリカーボネート、ポリアミド、ポリメチルメタクリル樹脂、ＰＥＴ、ＰＢＴ、ＰＥＩ、ＰＥＳ、ＰＰＯ、ＰＯＭ、ＧＰＰＳなどである。操作者がレンズおよびハプティックスの挙動を監視することが可能になるように、透明な材料を選択することが好ましい。好ましい製造方法は、射出成形である。例えばレンズを保護し、その移動または移送を簡単にする目的で、レンズと接触している表面を、レンズに対する摩擦を減らすように被覆または化学的に修正させることができる。それは、例えばグリセリン、モノグリセロールステアレート、シリコーン、ポリテトラフルオロエチレン、またはポリマーまたはヒドロゲルの親水性コーティングである。眼の外科的に許容できる潤滑剤は、また、レンズ上、または導管内でも使用することができ、それは例えばＨｅａｌｏｎ（登録商標）などの粘弾性化合物である。
【００２３】
使用方法
装置を使用する方法は、各装置特徴と関連して上に説明されている。手術の状況の前に、装置を様々な方法で準備することができる。レンズは、好ましくは次第に永久的に変形するのを防ぐためにほぼ応力が加えられていない状態で、装置内に予め装填され、格納するための製造場所で殺菌され、装置内に格納され運搬されることができる。装置は、使い捨て装置と関連して特に関心があり得る。あるいは、レンズは、再使用可能な装置に対して関心があり得る、使用に関連して装置中に充填されることができる。例えば、鉗子を使用することによって、装置シート上にレンズを配置し、おそらくは各ハプティックスの第１の点が適切に位置決めされていることを制御することのみによって、操作者は、レンズを裸の形態で導入することができる。あるいは、例えば様々なジオプトリなどに関して、異なるレンズハプティックスの種類または光学部分の種類に関して、シートとレンズとの間の適応を可能にするように、レンズをシートカセット上に予め装填して導入することができる。
【００２４】
図１Ａから図１Ｄは、応力が加えられていない状態での螺旋状のハプティックスを備えるレンズの様々な形態を略図的に示す。図１Ａは平面図であり、図１Ｂは側面図であり、図１Ｃおよび図１Ｄは、光学部分に対する２つの異なる折り曲げパターンを示す。レンズ１は、円板形状の光学部分２と、２つのハプティックス脚部３、３’とを有し、ハプティックス脚部３、３’は、光学部分２に取り付けられた内端部４、４’、および外側自由端部５、５’を有し、凹形内側部６、６’および凸外側部７、７’を有するように湾曲される。レンズ光学部分は、光学面を画定し、これは、図１Ａでは図の平面と一致すると考えられる。図１Ｂの側面図では、光学面は、図面の平面に垂直であると考えられ、点線１０で示されている。光学面垂線１１は、光学円板の中心を横断する。また、ハプティックス３、３’に沿った点は、ハプティックス面１２、１２’内にほぼあると考えられ、またハプティックス面垂線１３、１３’を有するが、１つのハプティックス面だけが図１Ｂには示されている。多くのハプティックス設計が知られており、理論的にはハプティックス面を様々な方法で湾曲させることができるが、本目的では、面をほぼ平らなものとして取り扱うことができる。このようなハプティックス面は、光学面と一致するまたは平行であることができるが、全体的に非対称レンズを作り出すように、ハプティックス面垂線１３、１３’の傾斜によって示すように、僅かに角度を付けた方向を有することも普通である。図１Ａでは、円板の光学部分に対する２つの可能な折り曲げ線８および９がそれぞれ示されている。折り曲げ線８は、内側点４と４’の間で対角にほぼ直角に延びており、互いに近接する内側点４、４’を有する図１Ｃの構造を作り出し、同じ方向、例えば移植装置導管内で前側を向いている最終的に伸びたハプティックスに有用である。折り曲げ線９は、約４５度の角度で内側点４と４’の間で対角に延びており、可能性のある最大距離と最小距離との間の中間の位置で内側点４、４’を有する図１Ｄの構造を作り出し、異なる方向、例えば移植装置の導管内の前後に向いている最終的に伸びたハプティックスに有用であるが、中心部分は例えばプランジャに対して、ハプティックスに衝突することなく自由である。
【００２５】
図２Ａから図２Ｆは、案内表面に対するレンズの移動による、本発明によるハプティックスを伸ばす様々な基本的原理を略図的に示し、この動作は、これらの図面では強調されていないが、レンズシートおよびレンズ案内装置なしでも、しかし好ましくはこれらを使用して起こる可能性がある。図２Ａおよび２Ｂは、レンズ光学面内のレンズ回転に基づく、前段階および後段階で伸びるハプティックスを平面図で示している。図２Ａでは、ハプティックス３、３’の自由端部５、５’は、それぞれ案内表面２０、２０’と接触する。ハプティックスを伸ばすため、レンズ２は矢印２１で示すように軸１１周りに回転される。このような回転中、ハプティックスは両方とも図２Ｂに示すあまり湾曲していない構造まで同時に伸ばされ、ここで自由端部５、５’と案内表面２０、２０’との間の接点は、光学部分２に対していくらか径方向外側に移動する。
【００２６】
図２Ｃおよび２Ｄは、レンズ光学面垂線１１に沿ったレンズ移動に基づく、前段階および後段階でそれぞれ伸びるハプティックスを側面図で示す。図２Ｃでは、ハプティックス３、３’の内側端部４、４’はそれぞれ、案内表面２２、２２’と接触し、これらの表面は、矢印２５で示すようなレンズ移動方向で見ると、最も内側の点２４、２４’からレンズ光学部分２から離れるように径方向、および外側に傾斜するカム表面２３、２３’を有する。案内表面の最も内側の点２４、２４’が、ハプティックス３、３’の凹側および内側端部４、４’に、またはこれらと接触して配置されるようになるように、ハプティックスが配置され、それによってハプティックスは、最も内側の点２４、２４’の周りで屈曲する。ハプティックスを伸ばすために、レンズ２は、軸１１の周りで回転することなく、矢印２５に沿って下向きに移動される。このような移動中、ハプティックスとカム表面２３、２３’との間の接点は、内側端部４、４’での初期接点から外側に移動し、ハプティックスは、両方とも図２Ｄに示すあまり湾曲していない構造まで同時に伸ばされ、またハプティックス３に対してスリットを作り出すように、ハプティックスの凸側に配置された任意の追加表面２６の使用を示している。図２Ｅは、図２Ｃと同様の状況を上から示す図であるが、図１Ｃと同様に折り曲げたレンズに適応するようになっている。案内表面２２、２２’は、それぞれカム表面２３、２３’を備え、ここでは平行に配置され、それによって初期状態で、それらの最も内側の点２４、２４’が、線８に沿った折り曲げにより、互いに近接して配置されたハプティックス３、３’の内側端部４、４’に近接する凹側に配置されるようになる。図２Ｆは、ハプティックス３、３’の間の初期角度関係を与えるように、折り曲げ線９に沿って図１Ｄにより折り曲げられたレンズの同様の変更形態を示す。案内表面２２、２２’はそれぞれカム表面２３、２３’を備え、ここでは伸びパターンでの可撓性を示すように、対応する角度関係で配置されている。
【００２７】
図３は、筒形の導管、例えば概略を説明したあらゆる方法により予め伸ばされたハプティックスを備えるレンズを受けるように配置されたスリットを有する、移植装置の導管の一部を略図的に示す。管３０は、狭い前側部３２’および後側部３２を有し、伸びたハプティックスおよび広げられた中間部３３を受けるように構成されており、レンズ光学円板を受けるように構成されており、その延長線が細い線３４で示されているほぼ直線の軸方向スリット３１を有する。光学直径は中間部の幅より大きいので、スリットを通して移動させる場合に、レンズ光学部分の確実な折り曲げが必要であることは明らかである。
【００２８】
図４Ａおよび４Ｂは、レンズ光学面垂線に沿ったレンズの移動に基づく、本発明の好ましいシステム実施形態を示す。全体を通して４００で示すシステムは、レンズパッケージ４１０と、レンズピッカ４２０と、レンズ移植装置とハプティックス伸ばし装置の組み合わせ４４０とを備える。図４Ａに示すように、レンズ４１１は、パッケージ４１０内に運ばれ、ここからクロージャ（図示せず）の開放または除去後に取り除くことができる。レンズは、ピッカ４２０を使用することによりパッケージから取ることができ、この場合、単に粘弾性流体の液滴を塗布したピッカの下側端部４２１に付着させることによって、これをレンズ用のシートとみなすことができる。あるいは、ピッカは、掴み開口部の後ろのプランジャまたは膜の収縮によって、または鉗子などの延長部によって作り出された僅かな真空などの他のレンズ掴み手段を含むことができる。レンズパッケージは、レンズを所定の方向に保持するレンズ固定具（図示せず）と、レンズがピッカ上の適切な初期方向を有することを確実にするように、パッケージ内およびピッカ上にキー構造を備えることができることが好ましく、ハプティックスの内側点４１２、４１２’は、中心ステム４２３から径方向に反対の直線方向に延びるアンダーフィン４２２、４２２’に位置合せされることが好ましい。ピッカはさらに、固定されたフィンガグリップ４２４と、可動ボタン４２５とを備え、可動ボタン４２５は、説明するレンズ４１１を放出し、押すようにピッカの下端部４２１で露出されるようにステム内に軸方向に可動に配置されたロッド４２６に取り付けられる。図４Ｂでは、レンズが取り付けられたピッカ４２０が、次のステップの準備のできた初期位置で組み合わせ装置４４０の上に示されている。組み合わせは、移植装置部分４４１と、ハプティックス伸ばし装置部分４５０とを備えているということができる。移植装置部分は、図では、あらゆるタイプのレンズ前進機構（図示せず）を備える後部４４２と、伸ばされたハプティックスおよび部分的に折り曲げたまたは圧縮された光学部分を備えるレンズを受けるためのほぼ筒形の中間部４４３と、レンズを眼の中に挿入し放出を行なう先端部４４４とを備えており、先端部は、中間部に取り付けられ、レンズのさらなる圧縮のために収束導管部を有する。中間部４４３は、光学部分用の広げられた中間部（図示せず）で結合されるハプティックス用の後スリット４４５および前スリット４４５’の形のレンズ用の受取開口部を有する。ハプティックス伸ばし部４５０は、図２Ｃに示すものと同様の案内表面４５２、４５２’を有し、最も内側の頂点４５４、４５４’に傾斜するカム縁部４５３、４５３’を備える。案内表面４５２、４５２’は、ハーフ管部４５５、４５５’上の平らな延長部として設計されており、共に説明するレンズ移動のためにチャネル４５６を形成する。分離部が、ハーフ管端部４５７、４５７’と対向する案内表面４５２、４５２’との間にそれぞれ存在し、伸びる間にハプティックスおよびピッカフィン４２２、４２２’の通過が可能になる。分離部は、移植装置部４４１の中間部４４３のスリット４４５、４４５’内に続き、チャネルは中間部の広げられた中間部に続く。動作において、フィン４２２、４２２’を案内表面４５２、４５２’とハーフ管端部４５７’、４５７との間のそれぞれの分離部内に案内するように、ピッカは、矢印４２７の方向に軸方向下向きに単純に移動される。このレンズの移動中に、頂点４５４、４５４’および／またはカム表面４５３、４５３’はまず、内側凹側で、かつそれら内側端部に近接してレンズハプティックスと係合し、さらなる移動中に、カム表面４５３、４５３’は、ハプティックスが伸ばされ、スリット４４５、４４５’上に位置合せされるまで、伸びて自由端部に向かってハプティックス脚部上の点と係合し、これは、チャネル４５６およびピッカ４２０が、レンズ移動のためのレンズ案内装置であるとみなすことができるハプティックス伸ばし段階の最後で考慮することができる。連続移動が、レンズ運搬段階を示しているとみなすことができ、このレンズ運搬段階において、ハプティックスが、寸法が適応されたフィン４２２、４２２’の助けでスリットを通過し、折り曲げられ、圧縮されたレンズ光学部分が、ボタン４２５上の手動圧力に曝された、ロッド４２６の助けをかりて移植装置の広げられた中間部内に入れられる。伸ばしおよび運搬段階を別個の連続した動作として説明したが、例えば、伸ばし動作の下でハプティックスの一部がスリットを通ってたどり着くことによって、これらが同時にまたは重なって起こることも同様に可能であり、本発明の概念の中に入る。
【００２９】
図５Ａ〜５Ｃは、光学面内のレンズの回転に基づく、第２の好ましい実施形態の図を示す。図５Ａは、装置部分の分解図であり、図５Ｂは、ハプティックスが伸びる前の初期状態の組み立てられた装置を示し、図５Ｃは、ハプティックスが伸びた後の最終状態の装置を示す。まず図５Ａを参照すると、全体を通して５００で示された装置は、プランジャユニット５１０と、移植装置ユニット５３０と、レンズシート部５５０および支持部５７０を有するハプティックス伸ばし装置とを備えているということができる。プランジャユニット５１０は、ロッド５１１を備え、その後端部には押ボタン５１２が取り付けられ、その前端部にはレンズ係合部５１３が取り付けられ、ここでは折り曲げられた状態の折り曲げ可能なパドル型のシート５１４として示されている。移植装置５３０は、ほぼ筒形のレンズ受取中間部５３１を備え、これはスリット５３２を有し、レンズ用の受取開口部を形成し、スリットは、レンズ光学部分用の広い中間部５３３、前方向を向いたハプティックス用の狭い前部５３４、および後方向を向いたハプティックス用の狭い後部５３５を有する。中間部５３１の後端部５３６が、端部片５３８の前端部５３７に取り付けられ、また後フィンガグリップ５３９、およびプランジャロッド５１１の挿入用の中心チャネル５４０を有する。チャネル５４０は、端部片５３８が中間部５３１に結合されたときに、狭い後スリット部５３５の直接連続部を形成するスリット５４１を有する。前方向には、中間部が、先端部５４５内に続き、先端部５４５は、ほぼ筒形をしており、先端部を通過するときに、レンズをさらに圧縮するために僅かに収束する。先端部は、眼の中に挿入されたときに、レンズを放出するように面取りされた開口部５４６内で終端する。シート部５５０は、説明する支持体５７０内に挿入された場合に、同心軸５５２の周りで回転する中心円筒部５５１を備えている。円筒の上部５５３は、レンズのシートとして適切に働き、円筒の下部５５４は、支持体と組み合わせられたときに回転体を安定化させる。最も下にあるプレートを除いて、下部は、図５Ｂおよび５Ｃに示すように、初期位置と最終位置との間の円筒回転角度全体にわたって、軸５５５に沿って移植装置の中間部５３１を格納するように構成された、大きく開口したかご状の構造物である。円筒の上部５５３は、レンズ光学部分の直径にほぼ対応する長さを有するが、幅より狭い中心送出開口部５５６を有しており、これはレンズが、送出開口部を通されると折り曲げられるようになることを意味する。支持体に挿入され、シートが最終位置に移動されると、送出開口部５５６は、移植装置の中間部５３１の受取開口部５３３の上に位置決めされ、これと平行に位置合せされる。レンズ固定構造物５５７、５５７’は、レンズ位置の上に上がり、これらから手動回転を助ける操作ピン５５９、５５９’を備える２つのアーム５５８、５５８’が延びている。アーム５５８、５５８’は、内側端部５６０、５６０’を有し、内側端部の高さおよび湾曲は、断面で見ると、説明する支持体の上に対応するポケットを入れるように構成されている。レンズ固定構造物５５７、５５７’とアームの内側端部５６０、５６０’との間の交差部５６１、５６１’はそれぞれ、ハプティックス攻撃点を形成し、回転中に内側端部でハプティックスと係合し、それによってまたレンズ光学部分を回転させる。支持体５７０は、シートの円筒下部５５４用の軸受として働くように構成された、中心円筒形孔５７１を備える。また、移植装置の中間部５３１を受けるように構成されている移植装置チャネル５７２も有し、支持体に挿入された場合に、軸５５５に沿ってシート円筒下部５５４を通過する。支持体はまた、アーム５５８、５５８’の形状に適応するようになっており、それらを図５Ｂおよび５Ｃにそれぞれ示す位置の間で移動させることができる２つのカットアウト５７３、５７３’を有する。カットアウト５７３、５７３’の内側部は、ルーフ５７５、５７５’の下にハプティックスポケット５７４、５７４’を形成し、ルーフは、ポケットの中で、支持体に取り付けられると、移植装置の中間部５３１のスリット５３４、５３５の遠端部に向かって内側および下側に傾斜している。アームの内側端部５６０、５６０’は、図５Ｃに示す最終位置でポケット５７４、５７４’をほぼ満たすように構成されている。全てこれは、伸び動作中に、スリットに向かって、またこれを通してハプティックスを安全に案内するように働く。装置は、シート５５０の円筒下部５５４を支持体５７０の円筒孔５７１に挿入することによって、組み立てられることが好ましい。その後、移植装置は、チャネル５７２を通して、また中間部５３１を配置するように軸５５５に沿ってシート円筒下部５５４を通して挿入されて、広いスリットの中間部５３３を、円筒孔５７１の中心に配置し、これにより適当な停止表面が存在することができる（図示せず）。移植装置部は、端部片５３８が中間部５３１の後端部５３６に取り付けられ、プランジャロッド５１１がフィンガグリップ５３９の中心チャネル５４０に挿入され、ボタン５１２に取り付けられることが必要な最終動作でこれが行なわれる場合に、組み立てられたまたは分解された形態であってもよい。組み立てられた装置が、図５Ｂおよび５Ｃに示されている。詳細の説明は、使用する場合に、説明する必要があるものに限定される。レンズは、アーム５５８、５５８’が図５Ｂに示す位置をとる場合に、シート内に配置される。レンズ５８０は、レンズ固定構造物５５７、５５７’によって簡単にされた、シート円筒上部５５３と同心の光学部分５８１で位置決めされている。レンズハプティックス脚部５８２、５８２’の自由端部は、支持体ポケット５７４、５７４’に、またはその中に配置される、あるいは配置されるようになり、ハプティックスの内側端部は、交差部５６１、５６１’でハプティックス攻撃点に位置決めされる、または接触する。この状況から、アーム５５８、５５８’は、矢印５８４、５８４’の方向に簡単に回転させられ、これによりハプティックスが真直ぐになり、図５Ｃに示す最終的な配置が与えられる。ここで、アーム５５８、５５８’は、カットアウト領域５７３、５７３’の中および上に移動され、アームの内側端部５６０、５６０’は、支持体のポケット５７４、５７４’を充填し、これがハプティックス５８２’、５８２を、それぞれ延長線５４１を有するスリット５３４、５３５を通す助けとなる。圧力が中心部でレンズ光学部分５８１に加えられると、折り曲がり、シートの送出開口部５５６を通して、また受取開口部５３３を通して、移植装置内に入り、プランジャ折り曲げ可能パドルシート５１４上にある。望むなら、フィンガグリップ５３９および支持体５７０は次に、相互に回転され、それによって送出開口部５５６と受取開口部５３３をずらして、移送開口部を閉じることができる。移植装置はその後、従来の通り使用することができる。すなわち、プランジャロッド５１１の前方向移動によって、レンズは、射出の準備ができた位置に面取りした開口部５４６まで先端５４５を通して圧縮して移動される。望むなら、支持体５７０およびシート５５０のアセンブリを次に取り除いて、移植装置を最終外科手術においてより扱い易くすることができる。
【図面の簡単な説明】
【００３０】
【図１Ａ】螺旋状のハプティックスを備えるレンズの様々な態様を示す略図であり、平面図である。
【図１Ｂ】螺旋状のハプティックスを備えるレンズの様々な態様を示す略図であり、水晶体の側面図である。
【図１Ｃ】螺旋状のハプティックスを備えるレンズの様々な態様を示す略図であり、異なる折り曲げパターンを示す図である。
【図１Ｄ】螺旋状のハプティックスを備えるレンズの様々な態様を示す略図であり、異なる折り曲げパターンを示す図である。
【図２Ａ】本発明による、ハプティックスを伸ばす様々な基本的原理を示す略図であり、レンズ光学面内のレンズ回転に基づく、前段階で伸びるハプティックスの平面図である。
【図２Ｂ】本発明による、ハプティックスを伸ばす様々な基本的原理を示す略図であり、レンズ光学面内のレンズ回転に基づく、後段階で伸びるハプティックスの平面図である。
【図２Ｃ】本発明による、ハプティックスを伸ばす様々な基本的原理を示す略図であり、レンズ光学面垂線に沿ったレンズの移動に基づく、前段階で伸びるハプティックスの側面図である。
【図２Ｄ】本発明による、ハプティックスを伸ばす様々な基本的原理を示す略図であり、レンズ光学面垂線に沿ったレンズの移動に基づく、後段階で伸びるハプティックスの側面図である。
【図２Ｅ】本発明による、ハプティックスを伸ばす様々な基本的原理を示す略図であり、図１Ｃと同様の折り曲げられたレンズへの適応を示す図である。
【図２Ｆ】本発明による、ハプティックスを伸ばす様々な基本的原理を示す略図であり、図１Ｄと同様の折り曲げられたレンズへの適応を示す図である。
【図３】予め伸ばしたハプティックスを有するレンズを受けるように構成されたスリットを備える筒形の導管の略図である。
【図４Ａ】レンズ光学面垂線に沿ったレンズ移動に基づく第１の好ましい実施形態を示す図である。
【図４Ｂ】レンズ光学面垂線に沿ったレンズ移動に基づく第１の好ましい実施形態を示す図である。
【図５Ａ】光学面内のレンズの回転に基づく、第２の好ましい実施形態を示す、装置部品の拡大図である。
【図５Ｂ】光学面内のレンズの回転に基づく、第２の好ましい実施形態を示す、ハプティックスが伸びる前の初期状態の組み立てられた装置を示す図である。
【図５Ｃ】光学面内の光学面内の回転に基づく、第２の好ましい実施形態を示す、ハプティックスが伸びた後の最終状態の装置を示す図である。
【図１Ａ】
0004405388.tif 000002
【図１Ｂ】
0004405388.tif 000003
【図１Ｃ】
0004405388.tif 000004
【図１Ｄ】
0004405388.tif 000005
【図２Ａ】
0004405388.tif 000006
【図２Ｂ】
0004405388.tif 000007
【図２Ｃ】
0004405388.tif 000008
【図２Ｄ】
0004405388.tif 000009
【図２Ｅ】
0004405388.tif 000010
【図２Ｆ】
0004405388.tif 000011
【図３】
0004405388.tif 000012
【図４Ａ】
0004405388.tif 000013
【図４Ｂ】
0004405388.tif 000014
【図５Ａ】
0004405388.tif 000015
【図５Ｂ】
0004405388.tif 000016
【図５Ｃ】
0004405388.tif 000017